(57)【要約】【課題】遠くの被写体の音声を良好なＳ／Ｎ比で再生することができる信号記録再生システムを提供することにある。【解決手段】カメラ一体型ビデオレコーダ１０１の音声処理回路２０５は、開始信号及び記録停止信号を携帯型音声レコーダ１０２に送信し、携帯型音声レコーダ１０２の音声処理回路３０２は、記録開始信号を受信したときはメモリカード１０３への音声データの記録を開始すると共に、記録停止信号を受信したときはメモリカード１０３への音声データの記録を停止するように構成されており、信号再生時には、カメラ一体型ビデオレコーダ１０１の音声処理回路２０５は、記録された画像データを再生し、記録された音声データと、装着された携帯型音声レコーダ１０２のメモリカード１０３に記録された音声データとを混合して再生する。【選択図】　　　図１
2004112186.tif 000002
【特許請求の範囲】
【請求項１】
記録媒体の記録再生を行う記録再生手段、及びメモリカードの記録再生を行うメモリカード記録再生手段を有するカメラ一体型信号記録再生装置と、当該カメラ一体型信号記録再生装置と信号を送受信すると共に、メモリカードの記録再生を行う他のメモリカード記録再生手段を有する携帯型信号記録再生装置とから成る信号記録再生システムにおいて、信号記録時には、前記カメラ一体型信号記録再生装置及び前記携帯型信号記録再生装置の一方の装置は、記録開始信号及び記録停止信号を前記カメラ一体型信号記録再生装置及び前記携帯型信号記録再生装置の他方の装置に送信し、当該他方の装置は、前記記録開始信号を受信したときは前記メモリカードへの音声データの記録を開始すると共に、前記記録停止信号を受信したときは前記メモリカードへの音声データの記録を停止するように構成されており、信号再生時には、前記カメラ一体型信号記録再生装置の記録再生手段は、記録された記録媒体の画像データを再生し、当該記録された記録媒体の音声データと、装着された前記携帯型記録再生装置のメモリカードに記録された音声データとを混合して再生することを特徴とする信号記録再生システム。
【請求項２】
前記一方の装置は、前記他方の装置に記録開始と同時に記録開始信号を送信すると共に、記録停止と同時に記録停止信号を送信することを特徴とする請求項１記載の信号記録再生システム。
【請求項３】
前記一方の装置は前記カメラ一体型信号記録再生装置であることを特徴とする請求項１又は２記載の信号記録再生システム。
【請求項４】
前記一方の装置は前記携帯型信号記録再生装置であることを特徴とする請求項１又は２記載の信号記録再生システム。
【請求項５】
前記記録再生手段は、信号記録時には、撮影情報を所定の間隔で前記記録媒体に記録し、信号再生時には、前記記録媒体より前記撮影情報を取得し、当該撮影情報に基づいて前記記録媒体に記録された音声データと前記携帯型信号記録再生装置において前記メモリカードに記録された音声データとの混合割合を変化させることを特徴とする請求項１乃至４のいずれか１項に記載の信号記録再生システム。
【請求項６】
前記撮影情報はズーム量情報から成り、前記記録再生手段は、信号再生時には、前記ズーム量の増加に従って前記携帯型信号記録再生装置において前記メモリカードに記録された音声データの混合割合を増加させることを特徴とする請求項５記載の信号記録再生システム。
【発明の詳細な説明】
【０００１】
【発明の属する技術分野】
本発明は、カメラ一体型信号記録再生装置と携帯型信号記録再生装置とから成る信号記録再生システムに関する。
【０００２】
【従来の技術】
従来のビデオカメラは、音声信号を入力するマイクがビデオカメラと一体になっている。また、被写体が所持するマイクの音声信号をビデオカメラへ伝送するものもある（例えば、特許文献１参照。）。
【０００３】
【特許文献１】
特開平８−３２８５９号広報
【０００４】
【発明が解決しようとする課題】
しかしながら、従来の技術では、遠くの被写体が発生する音声を良好なＳ／Ｎ比で記録することができず、再生時に、重要な音声がよく聞き取れないという問題がある。また、上記従来の技術で示した、特開平８−３２８５９号広報では、音声信号の伝送路上の障害などにより、正常に音声信号をビデオカメラへ伝送できない場合がある。
【０００５】
本発明の目的は、遠くの被写体の音声を良好なＳ／Ｎ比で再生することができる信号記録再生システムを提供することにある。
【０００６】
【課題を解決するための手段】
上述の目的を達成するために、請求項１記載の信号記録再生システムは、記録媒体の記録再生を行う記録再生手段、及びメモリカードの記録再生を行うメモリカード記録再生手段を有するカメラ一体型信号記録再生装置と、当該カメラ一体型信号記録再生装置と信号を送受信すると共に、メモリカードの記録再生を行う他のメモリカード記録再生手段を有する携帯型信号記録再生装置とから成る信号記録再生システムにおいて、信号記録時には、前記カメラ一体型信号記録再生装置及び前記携帯型信号記録再生装置の一方の装置は、記録開始信号及び記録停止信号を前記カメラ一体型信号記録再生装置及び前記携帯型信号記録再生装置の他方の装置に送信し、当該他方の装置は、前記記録開始信号を受信したときは前記メモリカードへの音声データの記録を開始すると共に、前記記録停止信号を受信したときは前記メモリカードへの音声データの記録を停止するように構成されており、信号再生時には、前記カメラ一体型信号記録再生装置の記録再生手段は、記録された記録媒体の画像データを再生し、当該記録された記録媒体の音声データと、装着された前記携帯型記録再生装置のメモリカードに記録された音声データとを混合して再生することを特徴とする。
【０００７】
請求項２記載の信号記録再生システムは、請求項１記載の信号記録再生システムにおいて、前記一方の装置は、前記他方の装置に記録開始と同時に記録開始信号を送信すると共に、記録停止と同時に記録停止信号を送信することを特徴とする。
【０００８】
請求項３記載の信号記録再生システムは、請求項１又は２記載の信号記録再生システムにおいて、前記一方の装置は前記カメラ一体型信号記録再生装置であることを特徴とする。
【０００９】
請求項４記載の信号記録再生システムは、請求項１又は２記載の信号記録再生システムにおいて、前記他方の装置は、前記携帯型信号記録再生装置であることを特徴とする。
【００１０】
請求項５記載の信号記録再生システムは、請求項１乃至４のいずれか１項に記載の信号記録再生システムにおいて、前記記録再生手段は、信号記録時には、撮影情報を所定の間隔で前記記録媒体に記録し、信号再生時には、前記記録媒体より前記撮影情報を取得し、当該撮影情報に基づいて前記記録媒体に記録された音声データと前記携帯型信号記録再生装置において前記メモリカードに記録された音声データとの混合割合を変化させることを特徴とする。
【００１１】
請求項６記載の信号記録再生システムは請求項５記載の信号記録再生システムにおいて、前記撮影情報はズーム量情報から成り、前記記録再生手段は、信号再生時には、前記ズーム量の増加に従って前記携帯型信号記録再生装置において前記メモリカードに記録された音声データの混合割合を増加させることを特徴とする。
【００１２】
【発明の実施の形態】
以下、本発明の実施の形態に係る信号記録再生システムを図面を参照して詳述する。
【００１３】
図１は、本発明の第１の実施の形態に係る信号記録再生システムの記録時の概念図である。
【００１４】
図１において、カメラ一体型ビデオレコーダ１０１（カメラ一体型信号記録再生装置）は、被写体となる人物１１０を撮像すると共に撮像データの記録を行う。人物１１０は、携帯型音声レコーダ１０２（携帯型信号記録再生装置）を携帯し、この携帯型音声レコーダ１０２には、メモリ１０３（メモリカード記録再生装置）が挿入され、人物１１０の音声データを記録する。
【００１５】
カメラ一体型ビデオレコーダ１０１が操作されて撮像データの記録を開始すると、通常のカメラ一体型ビデオレコーダと同様に、内臓の撮像装置２０１から入力される映像信号と内臓のマイク２０２から入力される音声信号とを信号処理した後、大容量記録媒体２０７への記録を開始する。また、同時に、携帯型音声レコーダ１０２へ記録開始信号を送信する。携帯型音声レコーダ１０２は、カメラ一体型ビデオレコーダ１０１からの記録開始信号を受信すると、内臓のマイク３０１から入力される音声信号をメモリカード１０３へ記録する。
【００１６】
図２は、図１におけるカメラ一体型ビデオレコーダ１０１の内部回路を示すブロック図である。
【００１７】
図２において、カメラ一体型ビデオレコーダ１０１は、ユーザの操作により作動を開始すると、撮像装置２０１からの画像信号及びマイク２０２からの音声信号は、入出力回路２０３を介して画像信号は画像処理回路２０４へ入力され、且つ音声信号は音声処理回路２０５へ入力される。
【００１８】
画像処理回路２０４は、所定の方法で画像信号を信号処理して記録・再生回路２０６へ出力する。また、音声処理回路２０５は、所定の方法で音声信号を信号処理して記録・再生回路２０６へ出力する。記録・再生回路２０６は、信号処理された画像信号と、音声信号とを所定の方法で信号処理し、ズーム量情報と共に大容量記録媒体２０７に記録する。これと同時に、送信信号処理回路２１５は、携帯型音声レコーダ１０２に記録開始を指令する信号を送信する。
【００１９】
また、ユーザの操作により撮像データの記録を一時停止又は停止すると、記録動作を停止すると同時に、送信信号処理回路２１５は、携帯型音声レコーダ１０２に記録停止を指令する信号を送信する。
【００２０】
図３は、図１における携帯型音声レコーダ１０２の内部回路を示すブロック図である。
【００２１】
図３において、携帯型音声レコーダ１０２は、カメラ一体型ビデオレコーダ１０１より送信された信号を受信すると、受信信号処理回路３０５は、信号を解釈し、その信号が記録開始を指令する信号であるとき、システムコントローラ３０７へ制御信号を送信し、システムコントローラ３０７は、音声記録を行うようにシステム全体を制御する。マイク３０１により得られる音声信号は、音声処理回路３０２により音声処理され、カードインターフェース３０３を介してメモリカード１０３へ記録される。一方、カメラ一体型ビデオレコーダ１０１より送信された信号が、記録停止を指令する信号であるときは、音声記録動作を停止する。
【００２２】
図４は、図１の信号記録再生システムの再生時の概念図である。
【００２３】
図４において、音声データが記録されているメモリカード１０３は携帯型音声レコーダ１０２より取り出され、カメラ一体型ビデオレコーダ１０１に挿入される。
【００２４】
カメラ一体型ビデオレコーダ１０１が、ユーザの操作により撮像データの再生を開始すると、大容量記録媒体２０７は撮像データを再生する。さらに、大容量記録媒体２０７より再生される音声と、メモリカード１０３より再生される音声とを混合して、音声データが再生される。上記画像データと上記音声データとは、カメラ一体型ビデオレコーダ１０１と接続されているモニタ１０４へ出力される。
【００２５】
図２において、カメラ一体型ビデオレコーダ１０１は、ユーザの操作により撮像データの再生を開始すると、大容量記録媒体２０７に記録されている撮像データは、記録・再生回路２０６に入力されて信号処理された後、画像データは画像処理回路２０４へ入力され、また、音声データは音声処理回路２０５へ入力され、また、ズーム位置情報は音声処理回路２０５へ入力される。画像処理回路２０４は所定の方法で画像データを処理して入出力回路２０３へ出力する。また、音声処理回路２０５は所定の方法で音声データを処理して得られる音声信号と、メモリカード２０９よりカードインターフェイス２０８を通して読み出した音声データを、所定の方法で信号処理した音声信号とを混合して入出力回路２０３へ出力する。
【００２６】
上記実施の形態において、音声処理回路２０５は、信号記録時には、撮影情報を所定の間隔で大容量記録媒体２０７に記録し、信号再生時には、大容量記録媒体２０７より撮影情報を取得し、当該撮影情報に基づいて大容量記録媒体２０７に記録された音声データと携帯型音声レコーダ１０２においてメモリカード１０３に記録された音声データとの混合割合を変化させる。これにより、音声データを撮影情報に応じて再生することができる。具体的には、音声処理回路２０５は、信号記録時には、撮影情報としてズーム量情報を大容量記録媒体２０７に記録し、信号再生時には、ズーム量の増加に従って携帯型音声レコーダ１０２においてメモリカード１０３に記録された音声データの混合割合を増加させる。これにより、音声データをズーム量に応じて再生することができる。
【００２７】
以下、本発明の第２の実施の形態に係る信号記録再生システムを説明する。
【００２８】
図１において、カメラ一体型ビデオレコーダ１０１は、被写体となる人物１１０を撮像すると共に撮像データの記録を行う。人物１１０は、携帯型音声レコーダ１０２を携帯し、この携帯型音声レコーダ１０２には、メモリ１０３が挿入され、人物１１０の音声データを記録する。
【００２９】
携帯型音声レコーダ１０２が操作されて撮像データの記録を開始すると、内臓のマイク３０１から入力される音声信号を音声処理した後、メモリカード１０３への記録を開始する。また、同時に、カメラ一体型ビデオレコーダ１０１へ記録開始信号を送信する。カメラ一体型ビデオレコーダ１０１は、携帯型音声レコーダ１０２からの記録開始信号を受信すると、内臓の撮像装置２０１から入力される映像信号と内臓のマイク２０２から入力される音声信号とを信号処理した後、大容量記録媒体２０７への記録を開始する。
【００３０】
図３において、携帯型音声レコーダ１０２は、ユーザの操作により音声データの記録を開始すると、システムコントローラ３０７は、音声記録を行うようにシステム全体を制御する。マイク３０１により得られる音声信号は、音声処理回路３０２により音声処理され、カードインターフェース３０３を介してメモリカード１０３に記録される。これと同時に、送信信号処理回路３０６は、カメラ一体型ビデオレコーダ１０１に記録開始を指令する信号を送信する。
【００３１】
また、ユーザの操作により音声データの記録を一時停止又は停止すると、記録動作を停止すると同時に、送信信号処理回路３０６は、カメラ一体型ビデオレコーダ１０１に記録停止を指令する信号を送信する。
【００３２】
図２において、携帯型音声レコーダ１０２より送信された信号を受信すると、受信信号処理回路２１３は信号を解釈し、記録開始を指令する信号である場合には、撮像装置２０１より得られる画像信号及びマイク２０２により得られる音声信号は、入出力回路２０３を介して画像信号は画像処理回路２０４へ入力され、また、音声信号は音声処理回路２０５へ入力される。画像処理回路２０４は、所定の方法で画像信号を信号処理して記録・再生回路２０６へ出力する。また、音声処理回路２０５は、所定の方法で音声信号を信号処理して記録・再生回路２０６へ出力する。記録・再生回路２０６は、信号処理された画像信号と、音声信号とを所定の方法で信号処理し、ズーム量情報と共に、大容量記録媒体２０７に記録する。一方、携帯型音声レコーダ１０２より送信された信号が、記録停止を指令する信号であるときは、上記記録動作を停止する。
【００３３】
再生時は、図４を参照して説明した再生時の動作と同様の動作を行う。
【００３４】
【発明の効果】
以上詳細に説明したように、請求項１記載の信号記録再生システムによれば、信号記録時には、カメラ一体型信号記録再生装置及び前記携帯型信号記録再生装置の一方の装置は、開始信号及び記録停止信号をカメラ一体型信号記録再生装置及び前記携帯型信号記録再生装置の他方の装置に送信し、当該他方の装置は、記録開始信号を受信したときはメモリカードへの音声データの記録を開始すると共に、記録停止信号を受信したときはメモリカードへの音声データの記録を停止するように構成されており、信号再生時には、カメラ一体型信号記録再生装置の記録再生手段は、記録された記録媒体の画像データを再生し、当該記録された記録媒体の音声データと、装着された携帯型記録再生装置のメモリカードに記録された音声データとを混合して再生するので、遠くの被写体の音声を良好なＳ／Ｎ比で再生することができる。
【００３５】
請求項２記載の信号記録再生システムによれば、一方の装置は、他方の装置に記録開始と同時に記録開始信号を送信すると共に、記録停止と同時に記録停止信号を送信するので、メモリカードへの記録を効率よく行うことができる。
【００３６】
請求項５記載の信号記録再生システムによれば、記録再生手段は、信号記録時には、撮影情報を所定の間隔で前記記録媒体に記録し、信号再生時には、記録媒体より撮影情報を取得し、当該撮影情報に基づいて記録媒体に記録された音声データと携帯型信号記録再生装置において前期メモリカードに記録された音声データとの混合割合を変化させるので、音声データを撮影情報に応じて再生することができる。
【００３７】
請求項６記載の信号記録再生システムによれば、撮影情報は、ズーム量情報から成り、記録再生手段は、信号再生時には、ズーム量の増加に従って携帯型信号記録再生装置においてメモリカードに記録された音声データの混合割合を増加させるので、音声データをズーム量に応じて再生することができる。
【図面の簡単な説明】
【図１】本発明の第１の実施の形態に係る信号記録再生システムの記録時の概念図である。
【図２】図１におけるカメラ一体型ビデオレコーダ１０１の内部回路を示すブロック図である。
【図３】図１における携帯型音声レコーダ１０２の内部回路を示すブロック図である。
【図４】図１の信号記録再生システムの再生時の概念図である。
【符号の説明】
１０１　カメラ一体型ビデオレコーダ
１０２　携帯型音声レコーダ
１０３　メモリカード
１０４　モニタ
２０１　撮像装置
２０２　マイク
２０８　カードインターフェイス
２１０　表示装置
２１１　スピーカ
【図１】
2004112186.tif 000003
【図２】
2004112186.tif 000004
【図３】
2004112186.tif 000005
【図４】
2004112186.tif 000006